(57)【特許請求の範囲】
【請求項１】
ラック内に高さ方向に沿って収納されている複数台の機器が複数台引き出されるのを防止する複数引き出し防止装置であって、
前記ラック内の前記複数台の機器それぞれに対応して設けられ、前記ラックの所定位置に前記機器がセットされたとき、その機器を固定する錠前と、
それぞれの前記錠前に共通して用いられ、前記錠前を操作し、前記ラックにおける前記機器の引き出し状態と固定状態とを選択する１つの操作鍵とを備え、
前記錠前は、前記操作鍵によって前記ラック内の前記機器が引き出し可能状態にあるとき、前記錠前から前記操作鍵が抜けないように構成されることを特徴とする機器の複数引き出し防止装置。
【請求項２】
前記操作鍵は、ラックに立設された鍵ガイドレールに沿って移動可能に取付けられていることを特徴とする請求項１記載の機器の複数引き出し防止装置。
【請求項３】
前記操作鍵は、前記鍵ガイドレールに対し、該鍵ガイドレールに沿って移動しかつラックの幅寸法より短い寸法を有する吊り具を介して取付けられていることを特徴とする請求項２記載の機器の複数引き出し防止装置。
【請求項４】
前記各機器の背面部に、前記錠前に差し込む機器用鍵が装着されていることを特徴とする請求項１〜３記載の複数引き出し防止装置。
【請求項５】
前記錠前は、各機器の前記機器用鍵と対応する位置に配置された第一錠部と、第一錠部と反対側に向かうように配置された第二錠部と、第二錠部の内筒および第一錠部の外筒を連結する連結具とを有することを特徴とする請求項４記載の機器の複数引き出し防止装置。
【請求項６】
前記錠前は、第二錠部に操作鍵が差し込み状態にあるとき、第一錠部から機器用鍵が引き抜かれた時点で、操作鍵を第二錠部から抜き取り不能に構成される一方、第一錠部に機器用鍵が差し込まれた時点で、操作鍵を第二錠部から抜き取り可能に構成されていることを特徴とする請求項５記載の機器の複数引き出し防止装置。
【請求項７】
前記錠前の第一錠部，第二錠部はシリンダ錠からなることを特徴とする請求項５，６記載の複数引き出し防止装置。
【請求項８】
請求項１乃至７記載の、機器の複数引き出し防止装置を備えたことを特徴とするラック。
【請求項９】
請求項８記載のラックを備えたことを特徴とするコンピュータ。
【発明の詳細な説明】
【０００１】
【発明の属する技術分野】
本発明は、機器を収納しているラックと、ラックに収納されている機器が複数台引き出されるのを防止する同時引き出し防止装置と、コンピュータとに関するものである。
【０００２】
【従来の技術】
情報処理機器にあっては、ラック内に高さ方向に沿って複数台が収納されることがある。このような情報処理機器は、ラックから引き出して保守等を行っているが、その場合、ラックから複数台が引き出されてしまうと、ラックのバランスが崩れ、ラックが転倒するおそれがある。そのため、ラックが転倒するのを防止するため、同一ラック内で複数台の情報処理機器が引き出せないようにするための複数引き出し防止装置が設置されている。
【０００３】
従来の複数引き出し防止装置は、上から見ると図４に示すようになっており、各情報処理機器１の背面部に引き出し防止錠２が取付けられ、この引き出し防止錠２がラック３のガイドレール４に設けられているストッパー５に引き掛けられている。
そして、保守等を行うため、情報処理機器１を図４に示す矢印ｃ方向に引き出す場合には、ラック３に備えられている図示しない鍵を用い、その鍵を使って引き出し防止錠２を回転させ、該防止錠２がストッパー５から外れることにより、所望の情報処理機器１がラック３から引き出せるように構成されている。
【０００４】
【発明が解決しようとする課題】
従来の複数引き出し防止装置は、上述の如く、ラック３に備えられている鍵により引き出し防止錠２を操作し、該防止錠２がストッパー５から外れることによって所望の情報処理機器１をラック３から引き出せるように構成されている。
【０００５】
しかしながら、引き出し防止錠２の鍵は、引き出し防止錠２を回転させたアンロック状態では該防止錠２から抜けないようになっているものの、情報処理機器１を引き出した状態でロックすると、引き出し防止錠２から抜けるようになっているので、そのような場合、同一ラック３内で複数台の情報処理機器１が引き出されてしまうことがあり、複数機器の引き出し防止装置としての機能上、不十分なものであった。
しかも、図示ラック３と隣列しているラック（図示せず）の鍵を用いることもできるので、前述と同様の問題が起こる。
【０００６】
一方、上記問題を解消するため、互いに隣列するラック毎に錠および鍵の形状を変えることが容易に考えられるものの、そのようにすると、種々の錠および鍵が必要となってしまい、著しいコストアップを招く不具合も生じる。
【０００７】
本発明は、上記事情に鑑み、同一ラック内で機器が複数台引き出されるのを確実に防止できる複数引き出し防止装置およびラックならびにコンピュータを提供するのを課題とする。
【０００８】
【課題を解決するための手段】
上記課題を解決するために本発明においては、以下の手段を採用した。
本発明では、ラック内に高さ方向に沿って収納されている複数台の機器が複数台引き出されるのを防止する複数引き出し防止装置であって、前記ラック内の前記複数台の機器それぞれに対応して設けられ、前記ラックの所定位置に前記機器がセットされたとき、その機器を固定する錠前と、それぞれの前記錠前に共通して用いられ、前記錠前を操作し、前記ラックにおける前記機器の引き出し状態と固定状態とを選択する１つの操作鍵とを備え、前記錠前は、前記操作鍵によって前記ラック内の前記機器が引き出し可能状態にあるとき、前記錠前から前記操作鍵が抜けないように構成されることを特徴とする。
【０００９】
また、本発明では、前記操作鍵は、ラックに立設された鍵ガイドレールに沿って移動可能に取付けられていることを特徴とする。
【００１０】
そして、本発明では、前記操作鍵は、前記鍵ガイドレールに対し、該鍵ガイドレールに沿って移動しかつラックの幅寸法より短い寸法を有する吊り具を介して取付けられていることを特徴とする。
【００１１】
また本発明では、前記各機器の背面部に、前記錠前に差し込む機器用鍵が装着されていることを特徴とする。
【００１２】
前記錠前は、各機器の機器用鍵と対応する位置に配置された第一錠部と、第一錠部と反対側に向かうように配置された第二錠部と、第二錠部の内筒および第一錠部の外筒を連結する連結具とを有するシリンダ錠からなることを特徴とする。
【００１３】
前記錠前は、第二錠部に操作鍵が差し込み状態にあるとき、第一錠部から機器用鍵が引き抜かれた時点で、操作鍵を第二錠部から抜き取り不能に構成される一方、第一錠部に機器用鍵が差し込まれた時点で、操作鍵を第二錠部から抜き取り可能に構成されていることを特徴とする。
【００１４】
前記錠前の第一錠部，第二錠部は、シリンダ錠からなることを特徴とする。
【００１５】
そして、本発明では、ラックが上記機器の複数引き出し防止装置を備えたことを特徴とし、さらに本発明では、コンピュータが上記ラックを備えたことを特徴とする。
【００１６】
【発明の実施の形態】
以下、本発明の実施の形態を図１〜図３に基づいて説明する。図１は本発明による複数引き出し防止装置を適用したラックの背面側を示す斜視図、図２は同じく複数引き出し防止装置を示す要部の説明用平面図、図３は錠を示す説明用平面図である。
本実施形態の複数引き出し防止装置を述べる前に、この複数引き出し防止装置を適用したラック２１について述べると、このラック２１は、図１に示すように、縦長の四角に枠組された箱形形状をなしており、内部に情報処理機器２０が高さ方向に沿って複数台収納されている。各情報処理機器（以下、単に機器と略称す）２０は、保守などを行うとき、係員により図２に示すように、ラック２１内に配設された引き出し用レール２２に沿って前方に引き出されるようになっている。
【００１７】
そして、本実施形態の複数引き出し防止装置は、ラック２１内の後部に錠前１０が複数個設置されている。各錠前１０は、ラック２１内の各機器２０の後部に対応する位置に取付部２３を介してそれぞれ設置されている。
錠前１０について詳しく述べると、この錠前１０は、図３に示すように、前方に向かうように配置された第一錠部１１と、後方に向かうように配置された第二錠部１２と、第一錠部１１および第二錠部１２を互いに連結する連結具１３とを有し、これらがハウジング１４内に配設されている。
【００１８】
第一錠部１１は、外筒１１ａとこれに回転可能に組付けられた内筒１１ｂとを有するシリンダ錠で構成され、機器２０に装着された後述の機器用鍵１５を差し込み可能にすると共に、差し込まれた機器用鍵１５をロックするためのものである。第二錠部１２も外筒１２ａとこれに回転可能に組付けられた内筒１２ｂとを有するシリンダ錠で構成され、後述の操作鍵１６によって操作できるようになっている。
【００１９】
連結具１３は、その一端部が第一錠部１１の外筒１１ａに取付けられると共に、その他端が第二錠部１２の内筒１２ｂに取付けられ、操作鍵１６が第二錠部１２に差し込んで回転操作されたとき、第一錠部１１の外筒１１ａもそれに伴って同方向に回ることにより、第一錠部１１の内筒１１ｂが外筒１１ａに対し反対方向に回るようになっている。つまり、操作鍵１６によって第二錠部１２が操作されると、第一錠部１１は機器用鍵１５に対するロックと、そのロックが解除されたアンロックとの何れかの状態となるようにしている。
【００２０】
機器用鍵１５は、図２に示すように、各機器２０の背面の一端部に装着されている。この機器用鍵１５は、ラック２１内に機器２０が収納されたとき、その機器２０と対応する錠前１０の第一錠部１１の外筒１１ａに差し込まれるようになっている。そのため、機器用鍵１５の各々は、各錠前１０の第一錠部１１と互いに対応する位置関係に配置されている。
【００２１】
一方、操作鍵１６は、ラック２１に昇降移動できるように取付けられている。即ち、この操作鍵１６は、図１および図２に示すように、ラック２１の後部に立設された鍵ガイドレール１７にチェーン１８を介して取付けられ、チェーン１８が鍵ガイドレール１７に沿って昇降することにより、所望の高さ方向に移動するようになっている。そのため、詳細に図示していないが、例えば鍵ガイドレール１７にはチェーン１８の途中部分を挿通させるスリットが設けられ、スリットに沿ってチェーン１８を昇降移動できるようにしている。
【００２２】
そして、係員がチェーン１８を鍵ガイドレール１７に沿って昇降させることにより、操作鍵１６を任意の錠前１０側に移動させ、第二錠部１２に差し込むことができるようになっている。
【００２３】
このような錠前１０と操作鍵１６とは、互いに以下の構成となっている。即ち、錠前１０は、通常では、第一錠部１１に機器２０の機器用鍵１５が差し込まれてロックされると共に、第二錠部１２に対し操作用鍵１６が抜くことができるように差し込まれている。
【００２４】
このとき、第二錠部１２に差し込まれた操作鍵１６がロック方向、本例では左方向（時計方向）に回転操作されると、内筒１２ｂがそれと同方向に回転すると共に、内筒１２ｂの動きに伴い連結具１３を介し第一錠部１１の外筒１１ａが追従回転するので、外筒１１ａに対し内筒１１ｂが右方向に回転したこととなる結果、第一錠部１１と機器２０の機器用鍵１５とのロックが解除され、機器２０がラック２１から引き出せるようになる一方、操作鍵１６が第二錠部１２から抜き出すことができないようになっている。
【００２５】
また、操作鍵１６は、第二錠部１２から抜き出せない状態にあるとき、機器２０の機器用鍵１５が第一錠部１１に差し込まれると、第二錠部１２を右方向に操作可能な状態となる。そして、操作鍵１６を右方向に回転操作すると、内筒１２ｂがそれと同方向に回転すると共に、内筒１２ｂの動きに伴い連結具１３を介し第一錠部の外筒１１ａが追従回転し、内筒１１ｂを機器のロック方向（本例で右方向）に回した状態となることにより、機器２０がラック２１に固定されるようになっている。このとき、操作鍵１６は、錠前１０の第二錠部１２から抜き出すことができるようになっており、したがって、機器２０の機器用鍵１５が錠前１０にロックされている場合に限り、第二錠部１２から抜き取ることができると共に、第二錠部１２に差し込むことができるようになっている。
【００２６】
次に、以上の構成の複数引き出し防止装置の取り扱いについて述べる。
今、操作鍵１６が錠前１０の第二錠部１２に差し込まれ、また左方向に回した状態にあることにより、第一錠部１１と機器２０の機器用鍵１５とのロックが解除され、機器用鍵１５が図２に示す如き矢印ａ方向に引き出されているものとする。即ち、操作鍵１６は、第二錠部１２に差し込まれ、かつ第二錠部１２から抜けない状態となっている。
【００２７】
このとき、保守などが終了することによって引き出されている機器２０が、図２に示す矢印ｂ方向に移動してラック２１にセットされると、機器２０の機器用鍵１５が錠前１０の第一錠部１１に差し込まれる。これにより、操作鍵１６は第二錠部１２内で回転可能な状態となる。
【００２８】
次いで、操作鍵１６を抜くため、錠前１０において第二錠部１２の操作鍵１６が係員によって右に回されると、第二錠部１２の内筒１２ｂの回転と共に連結具１３を介し、第一錠部１１の外筒１１ａも同方向に回転されるので、即ち、外筒１１ａが正面から見て左方向に回され、内筒１１ｂを右方向に回したこととなるので、機器２０の機器用鍵１５が第一錠部１１にロックされ、第一錠部１１から抜けない状態になり、ラック２１に機器２０が固定される。
このとき、第一錠部１１から機器用鍵１５が抜けなくなると同時に、操作鍵１６を第二錠部１２から抜くことができる状態となるので、係員は、操作鍵１６を第二錠部１２から抜き取ることにより、他の錠前１０に使用してこれに対応の機器２０の保守等を行うことが可能となる。
【００２９】
したがって、本実施形態の複数引き出し防止装置においては、操作鍵１６で錠前１０を操作することによって所望の機器２０を引き出し可能にすると、その錠前１０から操作鍵１６が抜けず、また機器２０がラック２１の所定位置にセットされると、錠前から抜けるように操作可能となるので、従来技術のように、引き出した情報処理機器の鍵を操作によって抜き取ることがなくなり、操作鍵１６によって複数台の機器２０が徒らに引き出されるのを防止することができる。
【００３０】
そして、本実施形態においては、以下の効果もある。
即ち、操作鍵１６は、ラック２１に取付けられているので、隣列する他のラックに使用されるのを回避することが可能となる。しかも、操作鍵１６は、ラック２１の鍵ガイドレール１７に、ラック２１の幅寸法以下の長さを有するチェーン１８を介し昇降可能に取付けられるので、各錠前１０の位置まで容易に移動できるばかりでなく、隣列する他のラックに使用されるのを確実に防止することができる。
【００３１】
また、各機器２０の背面部に機器用鍵１５が装着されているので、機器２０の保守等が終了した後、その機器２０をラック２１内に真直に納めるだけで機器用鍵１５を錠前に的確に差し込むことができ、そのため、各機器の位置をいちいち合わせる手間が不要になり、ラック２１に対する機器のセットが極めて容易となる。
【００３２】
さらに、錠前１０は、第一錠部１１と、第二錠部１２と、第二錠部１２の内筒１２ｂおよび第一錠部１１の外筒１１ａを連結する連結具１３とを有して構成されているので、操作鍵１６を操作することにより、機器２０のロックおよびロック解除を確実に行うことができ、その上、機器用鍵１５をロックしたとき、錠前１０から操作鍵１６の抜き取りを確実に行うことができる結果、装置としての信頼性をより高めることができる。
【００３３】
また、錠前１０は、第二錠部１２に操作鍵１６が差し込み状態にあるとき、第一錠部１１から機器用鍵１５が引き抜かれ時点で、操作鍵１６を第二錠部１２から抜き取りできないようにする一方、第一錠部１１に機器用鍵１５が差し込まれた時点で、操作鍵１６を第二錠部１２から抜き取りできるようにしているので、機器用鍵１５が第一錠部１１に差し込まれた場合だけ、操作鍵１６を確実に抜き取ることができ、装置としての信頼性をよりいっそう高めることができる。
【００３４】
しかも、錠前１０の第一錠部１１，第二錠部１２は構成の簡単なシリンダ錠からなっており、例え同一ラック内で機器毎に錠前および鍵の形状をいちいち変更することが不要になるばかりでなく、ラック毎に変えることも不要になるので、それだけ安価に製作することができる。
【００３５】
さらに、以上の如き複数引き出し防止装置がラック２１に備えられると、ラック２１としての機能および信頼性が高まり、また、このようなラック２１をコンピュータが備えていても、同様の効果を得ることができ、特にスーパーコンピュータのような大型のものは実用上有益となる。
【００３６】
なお、図示実施形態において、ラック２１の鍵ガイドレール１７にチェーン１８によって操作鍵１６が昇降可能に取付けられた例を示したが、チェーン１８に限らず、紐のような吊り下げ具で代用することもできる。また、情報処理機器２０に適用した例を示したが、他の機器に適用しても同様の作用効果を得ることができるのは勿論である。
【００３７】
【発明の効果】
以上述べたように、本発明によれば、所望の情報処理機器をラックから引き出し可能にしたとき、錠前から操作鍵が抜けないように構成し、また情報処理機器がラックの所定位置にセットされると、錠前から操作鍵が抜きとることができるように構成したので、操作鍵によって複数台の情報処理機器が徒らに引き出されるのを防止することができ、装置としての信頼性を高める効果がある。
【図面の簡単な説明】
【図１】本発明による複数引き出し防止装置を適用したラックの背面側を示す斜視図である。
【図２】同じく複数引き出し防止装置を示す要部の説明用平面図である。
【図３】錠前を示す拡大平面図である。
【図４】従来の複数引き出し防止装置を示す説明図である。
【符号の説明】
１０  錠前
１１  第一錠部
１１ａ  外筒
１１ｂ  内筒
１２  第二錠部
１２ａ  外筒
１２ｂ  内筒
１３  連結具
１４  ハウジング
１５  機器用鍵
１６  操作鍵
１７  鍵ガイドレール
１８  チェーン
２０  情報処理機器
２１  ラック
２２  引き出し用レール
２３  取付部
【図１】
0003562464.tif 000002
【図２】
0003562464.tif 000003
【図３】
0003562464.tif 000004
【図４】
0003562464.tif 000005